(57)【要約】  本発明は、複数のＢＭＳを有するバッテリーパックにおいて、マスターＢＭＳ及びスレーブＢＭＳを効果的に認識するＢＭＳ認識システム及び方法に関する。本発明の一実施形態によるＢＭＳ認識システムは、バッテリーパックに備えられたＢＭＳを認識するシステムであって、マスター発光部を備え、スレーブＢＭＳの動作モードを切り換えようとする場合、マスター発光部を点滅させてスレーブＢＭＳに動作モード切換信号を伝達するように構成されたマスターＢＭＳと、マスター発光部の点滅に対応するように構成されたスレーブ受光部を備え、スレーブ受光部を通じてマスター発光部の点灯を認知し、動作モード切換信号に応えて動作モードを切り換えるように構成されたスレーブＢＭＳと、を含む。
2021526782.tif 000002
【特許請求の範囲】
【請求項１】
マスター発光部を備え、スレーブＢＭＳの動作モードを切り換えようとする場合、前記マスター発光部を点滅させて前記スレーブＢＭＳに動作モード切換信号を伝達するように構成されたマスターＢＭＳと、
前記マスター発光部に対応するように構成されたスレーブ受光部を備え、前記スレーブ受光部を通じて前記マスター発光部の点灯を認知し、前記動作モード切換信号に応えて動作モードを切り換えるように構成されたスレーブＢＭＳと、を含む、ＢＭＳ認識システム。
【請求項２】
前記マスターＢＭＳは、複数のスレーブＢＭＳのそれぞれのスレーブ受光部に対応するように構成された複数のマスター発光部を備え、前記複数のマスター発光部のうち少なくとも一つのマスター発光部を点滅させて対応するスレーブＢＭＳに前記動作モード切換信号を伝達するように構成された、請求項１に記載のＢＭＳ認識システム。
【請求項３】
前記スレーブＢＭＳは、スレーブ発光部を備え、故障状況が発生してマスターＢＭＳに故障状況を伝達しようとする場合、前記スレーブ発光部を点滅させて前記マスターＢＭＳに故障状況を伝達するように構成された、請求項１または２に記載のＢＭＳ認識システム。
【請求項４】
前記マスターＢＭＳは、前記スレーブ発光部に対応するように構成されたマスター受光部を備え、前記マスター受光部を通じて前記スレーブ発光部の点灯を認知して前記スレーブＢＭＳの故障状況を認識するように構成された、請求項３に記載のＢＭＳ認識システム。
【請求項５】
前記マスターＢＭＳは、複数のスレーブＢＭＳのスレーブ受光部に対応するように構成された複数のマスター発光部を備え、
前記複数のマスター発光部は、前記複数のスレーブＢＭＳの取り付け位置に対応するように識別情報が割り当てられた、請求項１から４のいずれか一項に記載のＢＭＳ認識システム。
【請求項６】
前記マスターＢＭＳは、前記複数のマスター発光部を順次に点滅させて前記複数のスレーブＢＭＳに前記識別情報を順次にそれぞれ割り当てるように構成された、請求項５に記載のＢＭＳ認識システム。
【請求項７】
前記マスターＢＭＳは、前記マスター発光部を点滅させて前記スレーブＢＭＳに前記識別情報が含まれた動作モード切換信号を伝達するように構成された、請求項６に記載のＢＭＳ認識システム。
【請求項８】
前記スレーブＢＭＳは、前記スレーブ受光部を通じて伝達された前記動作モード切換信号に含まれた識別情報が前記割り当てられた識別情報と同一であるか否かに基づいて、前記動作モード切換信号に対する応答として動作モードを切り換えるように構成された、請求項７に記載のＢＭＳ認識システム。
【請求項９】
前記スレーブＢＭＳは、隣接したスレーブＢＭＳのスレーブ受光部に対応するように構成されたスレーブ発光部を備え、前記マスター発光部の点灯を認知し前記動作モード切換信号に応えて自分の動作モードを切り換える場合、前記スレーブ発光部を点滅させて隣接したスレーブＢＭＳに動作モード切換信号をリレー方式で印加するように構成された、請求項１から８のいずれか一項に記載のＢＭＳ認識システム。
【請求項１０】
請求項１から９のいずれか一項に記載のＢＭＳ認識システムを含むバッテリーパック。
【請求項１１】
請求項１から９のいずれか一項に記載のＢＭＳ認識システムを含む車両。
【請求項１２】
スレーブＢＭＳの動作モードを切り換えようとする場合、マスター発光部を点滅させて前記スレーブＢＭＳに動作モード切換信号を伝達する段階と、
前記マスター発光部の点滅に対応するように構成されたスレーブ受光部を通じて前記マスター発光部の点灯を認知し、前記動作モード切換信号に応えて動作モードを切り換える段階と、を含む、ＢＭＳ認識方法。
【請求項１３】
前記動作モード切換信号を伝達する段階は、複数のスレーブＢＭＳのそれぞれのスレーブ受光部に対応するように構成された複数のマスター発光部のうち少なくとも一つのマスター発光部を点滅させて少なくとも一つのスレーブＢＭＳに動作モード切換信号を伝達する段階を含む、請求項１２に記載のＢＭＳ認識方法。
【発明の詳細な説明】
【技術分野】
【０００１】
本発明は、ＢＭＳ（Ｂａｔｔｅｒｙ  Ｍａｎａｇｅｍｅｎｔ  Ｓｙｓｔｅｍ）認識システム及び方法に関し、より詳しくは、複数のＢＭＳを有するバッテリーパックにおいて、マスターＢＭＳ及びスレーブＢＭＳを効果的に認識するＢＭＳ認識システム及び方法に関する。
【０００２】
本出願は、２０１８年１２月２０日出願の韓国特許出願第１０−２０１８−０１６６７６３号に基づく優先権を主張し、当該出願の明細書及び図面に開示された内容は、すべて本出願に組み込まれる。
【背景技術】
【０００３】
近年、ノートパソコン、ビデオカメラ、携帯電話などのような携帯用電子製品の需要が急激に伸び、電気自動車、エネルギー貯蔵用蓄電池、ロボット、衛星などの開発が本格化するにつれて、繰り返して充放電可能な高性能二次電池に対する研究が活発に行われている。
【０００４】
現在、ニッケルカドミウム電池、ニッケル水素電池、ニッケル亜鉛電池、リチウム二次電池などの二次電池が商用化しているが、中でもリチウム二次電池はニッケル系列の二次電池に比べてメモリ効果が殆ど起きず充放電が自在であって、自己放電率が非常に低くてエネルギー密度が高いという長所から脚光を浴びている。
【０００５】
バッテリーは多様な分野で用いられるが、電気駆動車またはスマートグリッドシステムのように近年バッテリーが多く活用される分野では、大きい容量を要する場合が多い。バッテリーパックの容量を増加させるためには、二次電池、すなわちバッテリーセル自体の容量を増加させる方法があり得るが、この場合、容量増大効果が大きくなく、二次電池の大きさ拡張に物理的な制限があり、管理が不便であるという短所を有する。したがって、通常は多数のバッテリーモジュールが直列及び並列で連結されたバッテリーパックが広く用いられている。
【０００６】
一方、近来、バッテリーパックの大容量構造に対する必要性が高まりながら、多数のバッテリーが直列及び／または並列で連結された多数のバッテリーモジュールを集合させたマルチモジュール構造のバッテリーパックに対する需要が増加している。
【０００７】
このようなマルチモジュール構造のバッテリーパックは、多数のバッテリーを含んでいるため、一つのＢＭＳですべてのバッテリーの充放電状態を制御するには限界がある。したがって、最近はバッテリーパックに含まれているそれぞれのバッテリーモジュール毎にＢＭＳを取り付け、ＢＭＳのうちいずれか一つをマスターＢＭＳと指定し、残りのＢＭＳをスレーブＢＭＳでと指定した後、マスタースレーブ方式で各バッテリーモジュールの充放電を制御する技術が用いられている。
【０００８】
マスタースレーブ方式では、マスターＢＭＳがバッテリーパックに含まれたバッテリーモジュールの充放電を統合的に管理するため、スレーブＢＭＳと通信を行ってスレーブＢＭＳが担当するバッテリーモジュールに関する各種の充放電モニタリングデータを集めるか、または、各バッテリーモジュールの充放電動作を制御するための制御命令を該当するスレーブＢＭＳに伝送するようになる。
【０００９】
従来は、マスターＢＭＳがスレーブＢＭＳの動作モードを切り換えようとする場合、マスターＢＭＳが有線または無線通信網を用いてスレーブＢＭＳの識別情報を読み取った後、マスターＢＭＳがプログラムアルゴリズムによってスレーブＢＭＳ別に動作モードを切り換える方法などが用いられている。
【００１０】
しかし、このような従来の方式は、識別情報を保存するためのハードウェア回路を別に必要とし、複雑なソフトウェアアルゴリズムの実行のために高性能のプロセッサが必要であるという短所もある。
【発明の概要】
【発明が解決しようとする課題】
【００１１】
本発明は、上記問題点に鑑みてなされたものであり、複数のＢＭＳを有するバッテリーパックにおいて、マスターＢＭＳ及びスレーブＢＭＳを効果的に認識できる改善されたＢＭＳ認識システム及び方法を提供することを目的とする。
【００１２】
本発明の他の目的及び長所は、下記の説明によって理解でき、本発明の実施形態によってより明らかに分かるであろう。また、本発明の目的及び長所は、特許請求の範囲に示される手段及びその組合せによって実現することができる。
【課題を解決するための手段】
【００１３】
本発明の一態様によるＢＭＳ認識システムは、マスター発光部を備え、スレーブＢＭＳの動作モードを切り換えようとする場合、マスター発光部を点滅させてスレーブＢＭＳに動作モード切換信号を伝達するように構成されたマスターＢＭＳと、マスター発光部に対応するように構成されたスレーブ受光部を備え、スレーブ受光部を通じてマスター発光部の点灯を認知し、動作モード切換信号に応えて動作モードを切り換えるように構成されたスレーブＢＭＳとを含む。
【００１４】
マスターＢＭＳは、複数のスレーブＢＭＳのそれぞれのスレーブ受光部に対応するように構成された複数のマスター発光部を備え、複数のマスター発光部のうち少なくとも一つのマスター発光部を点滅させて対応するスレーブＢＭＳに動作モード切換信号を伝達するように構成され得る。
【００１５】
スレーブＢＭＳは、スレーブ発光部を備え、故障状況が発生してマスターＢＭＳに故障状況を伝達しようとする場合、スレーブ発光部を点滅させてマスターＢＭＳに故障状況を伝達するように構成され得る。
【００１６】
マスターＢＭＳは、スレーブ発光部に対応するように構成されたマスター受光部を備え、マスター受光部を通じてスレーブ発光部の点灯を認知してスレーブＢＭＳの故障状況を認識するように構成され得る。
【００１７】
マスターＢＭＳは、複数のスレーブＢＭＳのスレーブ受光部に対応するように構成された複数のマスター発光部を備え得る。
【００１８】
複数のマスター発光部は、複数のスレーブＢＭＳの取り付け位置に対応するように識別情報が割り当てられ得る。
【００１９】
マスターＢＭＳは、複数のマスター発光部を順次に点滅させて複数のスレーブＢＭＳに識別情報を順次にそれぞれ割り当てるように構成され得る。
【００２０】
マスターＢＭＳは、マスター発光部を点滅させてスレーブＢＭＳに識別情報が含まれた動作モード切換信号を伝達するように構成され得る。
【００２１】
スレーブＢＭＳは、スレーブ受光部を通じて伝達された動作モード切換信号に含まれた識別情報が割り当てられた識別情報と同一であるか否かを確認し、確認結果に基づいて動作モード切換信号に対する応答として動作モードを切り換えるように構成され得る。
【００２２】
スレーブＢＭＳは、隣接したスレーブＢＭＳのスレーブ受光部に対応するように構成されたスレーブ発光部を備え、マスター発光部の点灯を認知し動作モード切換信号に応えて自分の動作モードを切り換える場合、スレーブ発光部を点滅させて隣接したスレーブＢＭＳに動作モード切換信号をリレー方式で印加するように構成され得る。
【００２３】
本発明の他の態様によるバッテリーパックは、本発明の一態様によるＢＭＳ認識システムを含む。
【００２４】
本発明のさらに他の態様による車両は、本発明の一態様によるＢＭＳ認識システムを含む。
【００２５】
本発明のさらに他の態様によるＢＭＳ認識方法は、スレーブＢＭＳの動作モードを切り換えようとする場合、マスター発光部を点滅させてスレーブＢＭＳに動作モード切換信号を伝達する段階と、マスター発光部の点滅に対応するように構成されたスレーブ受光部を通じてマスター発光部の点灯を認知し、動作モード切換信号に応えて動作モードを切り換える段階とを含む。
【００２６】
動作モード切換信号を伝達する段階は、複数のスレーブＢＭＳのそれぞれのスレーブ受光部に対応するように構成された複数のマスター発光部のうち少なくとも一つのマスター発光部を点滅させて少なくとも一つのスレーブＢＭＳに動作モード切換信号を伝達する段階を含み得る。
【発明の効果】
【００２７】
本発明の一態様によれば、複数のＢＭＳに対してマスターＢＭＳがスレーブＢＭＳから事前に情報を受信するか又は動作モード切換のための別途のハードウェアを設けることがなくても、スレーブＢＭＳの動作モードを効果的に切換することができる。
【００２８】
本発明の他の態様によれば、マスターＢＭＳとスレーブＢＭＳとの間の通信干渉が生じないため、このような通信干渉によって発生し得る時間遅延による動作モード切換の遅延現象を防止することができる。
【００２９】
本発明のさらに他の態様によれば、即刻な発光及び受光による信号伝達を通じてＢＭＳ認識の安全性を向上させることができる。
【００３０】
外にも本発明は他の多様な効果を有し得、このような本発明の他の効果は下記の説明によって理解することができ、本発明の実施形態によってより明らかに分かるであろう。
【００３１】
本明細書に添付される次の図面は、本発明の望ましい実施形態を例示するものであり、発明の詳細な説明とともに本発明の技術的な思想をさらに理解させる役割をするものであるため、本発明は図面に記載された事項だけに限定されて解釈されてはならない。
【図面の簡単な説明】
【００３２】
【図１】本発明の一実施形態によるＢＭＳ認識システムの構成を概略的に示した図である。
【図２】本発明の他の実施形態によるＢＭＳ認識システムの構成を概略的に示した図である。
【図３】本発明のさらに他の実施形態によるＢＭＳ認識システムの構成を概略的に示した図である。
【図４】本発明の一実施形態によるＢＭＳ認識方法を概略的に示したフロー図である。
【発明を実施するための形態】
【００３３】
以下、添付された図面を参照して本発明の望ましい実施形態を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３４】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００３５】
また、本発明の説明において、関連公知構成または機能についての具体的な説明が本発明の要旨を不明瞭にし得ると判断される場合、その詳細な説明は省略する。
【００３６】
明細書の全体において、ある部分がある構成要素を「含む」とするとき、これは特に言及されない限り、他の構成要素を除外するものではなく、他の構成要素をさらに含み得ることを意味する。また、明細書に記載された「プロセッサ」のような用語は、少なくとも一つの機能や動作を処理する単位を意味し、ハードウェア、ソフトウェア、またはハードウェアとソフトウェアとの組み合わせで具現され得る。
【００３７】
さらに、明細書の全体において、ある部分が他の部分と「連結（接続）」されるとするとき、これは「直接的な連結（接続）」だけではなく、他の素子を介在した「間接的な連結（接続）」も含む。
【００３８】
本明細書において、バッテリーセル１０は、負極端子及び正極端子を備え、物理的に分離可能な一つの独立したセルを意味する。一例として、一つのパウチ型リチウムポリマーセルをバッテリーセル１０として見なし得る。
【００３９】
本発明の一実施形態によるＢＭＳ認識システムは、バッテリーパックに備えられたＢＭＳを認識するシステムである。例えば、本発明の一実施形態によるバッテリーパックは、車両に備えられ得る。また、本発明の一実施形態によるバッテリーパックは、複数のＢＭＳを備えることができる。
【００４０】
本発明の一実施形態によるバッテリーパックは、マスターＢＭＳ１００及びスレーブＢＭＳ２００を備えることができる。
【００４１】
図１は、本発明の一実施形態によるＢＭＳ認識システムの構成を概略的に示した図である。
【００４２】
例えば、図１に示されたように、本発明の一実施形態によるバッテリーパックは、複数のバッテリーモジュール１を備えることができる。また、複数のバッテリーモジュール１は、互いに直列及び／または並列で連結された複数のバッテリーセル１０を備えることができる。
【００４３】
本発明の一実施形態によるＢＭＳ認識システムに備えられた複数のＢＭＳは、本発明による識別子割り当てのためのアルゴリズムが適用された同じＢＭＳであり得る。
【００４４】
例えば、本発明の一実施形態による複数のＢＭＳは、ハードウェア及びソフトウェア的にすべて同じ構成を有するＢＭＳであり得る。また、複数のＢＭＳそれぞれは、自分が担当する一つ以上のバッテリーセル１０を制御することができる。このような複数のＢＭＳの制御機能は、バッテリーセル１０の充放電制御、平滑化（ｅｑｕａｌｉｚａｔｉｏｎ）制御、スイッチング、電気的特性値の測定及びモニタリング、誤謬表示、オン／オフ制御、ＳＯＣ（Ｓｔａｔｅ  ｏｆ  Ｃｈａｒｇｅ）推定などを含むことができる。
【００４５】
また、複数のＢＭＳは、有線または無線通信網を用いて電気的信号を送受信することができる。望ましくは、複数のＢＭＳの間を連結する通信網は、ブルートゥース（登録商標）（Ｂｌｕｅｔｏｏｔｈ（登録商標））、Ｗｉ−ＦｉまたはＣＡＮ（Ｃｏｎｔｒｏｌｌｅｒ  Ａｒｅａ  Ｎｅｔｗｏｒｋ）通信網であり得る。
【００４６】
望ましくは、本発明の一実施形態による複数のＢＭＳは、それぞれプロセッサ及びメモリデバイスを含むことができる。
【００４７】
プロセッサは、本発明の一実施形態によるＢＭＳ認識システムの各動作を実行することができる。また、メモリデバイスは、本発明の一実施形態によるＢＭＳ認識システムの動作に必要な情報を予め保存することができる。
【００４８】
一方、プロセッサは、上述したような動作を実行するため、当業界で知られたプロセッサ、ＡＳＩＣ（Ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、レジスタ、通信モデム及び／またはデータ処理装置などを選択的に含む形態で具現できる。
【００４９】
一方、メモリデバイスは、情報を記録し消去可能な保存媒体であればその種類に特に制限がない。例えば、メモリデバイスは、ＲＡＭ、ＲＯＭ、レジスタ、ハードディスク、光記録媒体または磁気記録媒体であり得る。また、メモリデバイスは、プロセッサによってそれぞれアクセスできるように、例えばデータバスなどを介してプロセッサとそれぞれ電気的に接続され得る。また、メモリデバイスは、プロセッサがそれぞれ実行する各種の制御ロジックを含むプログラム及び／または制御ロジックの実行時に発生するデータを、保存及び／または更新及び／または消去及び／または伝送することができる。
【００５０】
図１を参照すると、本発明の一実施形態によるＢＭＳ認識システムは、マスターＢＭＳ１００及び一つ以上のスレーブＢＭＳ２００を含む。
【００５１】
マスターＢＭＳ１００は、マスター発光部１１０を備えることができる。例えば、図１に示されたように、マスターＢＭＳ１００は、発光素子から構成されたマスター発光部１１０を備えることができる。例えば、マスター発光部１１０は、電気的信号を送受信できるようにマスターＢＭＳ１００と電気的に接続され、マスターＢＭＳ１００から受信した電気的信号に基づいて発光することができる。例えば、発光素子は、発光ダイオード（ｌｉｇｈｔ  ｅｍｉｔｔｉｎｇ  ｄｉｏｄｅ）で具現され得る。
【００５２】
また、マスターＢＭＳ１００は、スレーブＢＭＳ２００の動作モードを切り換えようとする場合、マスター発光部１１０を点滅させてスレーブＢＭＳ２００に動作モード切換信号を伝達することができる。
【００５３】
例えば、図１の実施形態において、マスターＢＭＳ１００は、動作モードを切り換えようとするスレーブＢＭＳ２００に対応するマスター発光部１１０を点滅させてスレーブＢＭＳ２００に動作モード切換信号を伝達することができる。
【００５４】
ここで、動作モード切換信号は、スリープ（ｓｌｅｅｐ）状態のＢＭＳをアウェイク（ａｗａｋｅ）させる信号であり得る。または、動作モード切換信号は、アウェイク状態のＢＭＳをスリープ状態に切り換える信号であり得る。
【００５５】
スレーブＢＭＳ２００は、マスター発光部１１０の点滅に対応するように構成されたスレーブ受光部２２０を備えることができる。
【００５６】
例えば、図１に示されたように、スレーブＢＭＳ２００は、受光素子から構成されたスレーブ受光部２２０をそれぞれ備えることができる。そして、スレーブ受光部２２０は、電気的信号を送受信できるようにスレーブＢＭＳ２００と電気的に接続され、マスター発光部１１０の点滅に対応してスレーブＢＭＳ２００に電気的信号を伝達することができる。例えば、受光素子は、受光ダイオードで具現され得る。
【００５７】
また、スレーブＢＭＳ２００は、スレーブ受光部２２０を通じてマスター発光部１１０の点灯を認知し、動作モード切換信号に対する応答として動作モードを切り換えることができる。
【００５８】
例えば、図１に示されたように、スレーブＢＭＳ２００は、それぞれのスレーブ受光部２２０に対応するマスター発光部１１０が点灯したことを認知することができる。
【００５９】
それぞれのスレーブ受光部２２０は、対応するマスター発光部１１０が点灯する場合、これに基づいてスレーブＢＭＳ２００に電気的信号を伝達することができる。また、スレーブＢＭＳ２００は、スレーブ受光部２２０を通じて電気的信号を受信する場合、動作モードを切り換えることができる。例えば、動作モードは、スリープモード及びアウェイクモードを含み得る。
【００６０】
望ましくは、本発明の一実施形態によるマスターＢＭＳ１００は、複数のスレーブＢＭＳ２００のスレーブ受光部２２０に対応するように構成された複数のマスター発光部１１０を備えることができる。
【００６１】
例えば、図１に示されたように、マスターＢＭＳ１００は、複数のスレーブＢＭＳ２００のスレーブ受光部２２０に対応するように、複数のスレーブＢＭＳ２００の個数に対応する複数のマスター発光部１１０を備えることができる。このとき、複数のマスター発光部１１０は、スレーブ受光部２２０のそれぞれに対応する位置に配置され得る。
【００６２】
また、マスターＢＭＳ１００は、複数のマスター発光部１１０のうち少なくとも一つのマスター発光部１１０を点滅させ、少なくとも一つのスレーブＢＭＳ２００に動作モード切換信号を伝達することができる。
【００６３】
例えば、図１に示されたように、マスターＢＭＳ１００は、動作モードを切り換えようとするスレーブＢＭＳ２００を決定することができる。次いで、マスターＢＭＳ１００は、動作モードを切り換えようとする対象スレーブＢＭＳ２００と連結されたスレーブ受光部２２０に対応するマスター発光部１１０を点滅させることができる。
【００６４】
望ましくは、複数のマスター発光部１１０には、複数のスレーブＢＭＳ２００の取り付け位置に対応するように識別情報を割り当てることができる。
【００６５】
例えば、図１に示されたように、複数のマスター発光部１１０には、複数のスレーブＢＭＳ２００の取り付け位置に対応するように順次に識別情報が割り当てられ得る。例えば、識別情報は、Ｎ個のスレーブＢＭＳ２００に対して１からＮまでの順次的な数字情報を含み得る。
【００６６】
より望ましくは、本発明の一実施形態によるマスターＢＭＳ１００は、複数のマスター発光部１１０を順次に点滅させて複数のスレーブＢＭＳ２００に識別情報を順次にそれぞれ割り当てることができる。
【００６７】
例えば、図１に示されたように、マスターＢＭＳ１００は、識別情報に基づいて順次に複数のマスター発光部１１０を点滅させることができる。この場合、マスターＢＭＳ１００は、有線または無線通信を通じてスレーブ受光部２２０から電気的信号を受信した各スレーブＢＭＳ２００に識別情報を伝達することができる。
【００６８】
一方、マスターＢＭＳ１００は、割り当てられた識別情報が含まれた動作モード切換信号が伝達されるように、複数のマスター発光部１１０のうち一つ以上のマスター発光部１１０を点滅させて少なくとも一つのスレーブＢＭＳ２００に識別情報が含まれた動作モード切換信号を伝達することができる。
【００６９】
スレーブＢＭＳ２００は、スレーブ受光部２２０を通じてマスター発光部１１０の点灯を認知して動作モード切換信号の伝達を受け、動作モード切換信号に含まれた識別情報が予め割り当てられた識別情報と同一であるか否かを確認することができる。
【００７０】
スレーブＢＭＳ２００は、伝達された動作モード切換信号に含まれた識別情報が予め割り当てられた識別情報と同一であれば、動作モード切換信号に対する応答として動作モードを切り換えることができる。逆に、スレーブＢＭＳ２００は、伝達された動作モード切換信号に含まれた識別情報が予め割り当てられた識別情報と同一でなければ、動作モードの切り換えを行わない。
【００７１】
図２は、本発明の他の実施形態によるＢＭＳ認識システムの構成を概略的に示した図である。
【００７２】
図２を参照すると、本発明の一実施形態によるＢＭＳ認識システムは、マスターＢＭＳ１００及びスレーブＢＭＳ２００を備えることができる。
【００７３】
望ましくは、本発明の一実施形態によるスレーブＢＭＳ２００は、スレーブ発光部２１０を備えることができる。例えば、図２に示されたように、本発明の一実施形態によるスレーブＢＭＳ２００は、発光素子から構成されたスレーブ発光部２１０を備えることができる。例えば、スレーブ発光部２１０は、電気的信号を送受信できるようにスレーブＢＭＳ２００と電気的に接続され、スレーブＢＭＳ２００から受信した電気的信号に基づいて発光することができる。例えば、発光素子は、発光ダイオードで具現され得る。
【００７４】
より望ましくは、本発明の一実施形態によるマスターＢＭＳ１００は、スレーブ発光部２１０の点滅に対応するように構成されたマスター受光部１２０を備えることができる。
【００７５】
例えば、図２に示されたように、本発明の一実施形態によるマスターＢＭＳ１００は、受光素子から構成されたマスター受光部１２０を備えることができる。そして、マスター受光部１２０は、電気的信号を送受信できるようにマスターＢＭＳ１００と電気的に接続され、スレーブ発光部２１０の点滅に対応してマスターＢＭＳ１００に電気的信号を伝達することができる。例えば、受光素子は、受光ダイオードで具現され得る。
【００７６】
望ましくは、本発明の一実施形態によるマスターＢＭＳ１００は、マスター発光部１１０及びマスター受光部１２０を備えることができる。例えば、マスター発光部１１０及びマスター受光部１２０は、各スレーブＢＭＳ２００に対応する位置にそれぞれ配置され得る。
【００７７】
望ましくは、本発明の一実施形態によるスレーブＢＭＳ２００は、スレーブ発光部２１０及びスレーブ受光部２２０を備えることができる。
【００７８】
例えば、マスター発光部１１０とスレーブ受光部２２０とは互いに対応する位置に配置され、マスター発光部１１０の点滅によって対応するスレーブ受光部２２０が連結されたスレーブＢＭＳ２００に電気的信号を伝達することができる。
【００７９】
また、マスター受光部１２０とスレーブ発光部２１０とは互いに対応する位置に配置され、スレーブ発光部２１０の点滅によって対応するマスター受光部１２０がマスターＢＭＳ１００に電気的信号を伝達することができる。
【００８０】
また、スレーブＢＭＳ２００は、故障状況が発生してマスターＢＭＳ１００に故障状況を伝達しようとする場合、スレーブ発光部２１０を点滅させてマスターＢＭＳ１００に故障状況を伝達することができる。
【００８１】
例えば、図２に示されたように、本発明の一実施形態によるスレーブＢＭＳ２００は、バッテリーモジュールに過充電または過放電などの故障状況が発生した場合、スレーブ発光部２１０を点滅させてマスターＢＭＳ１００に故障状況を伝達することができる。
【００８２】
また、マスターＢＭＳ１００は、マスター受光部１２０を通じてスレーブ発光部２１０の点灯を認知してスレーブＢＭＳ２００の故障状況を認識することができる。この場合、マスターＢＭＳ１００は、有線または無線通信網を通じてスレーブＢＭＳ２００から故障状況の種類と内容を受信することができる。
【００８３】
図３は、本発明のさらに他の実施形態によるＢＭＳ認識システムの構成を概略的に示した図である。
【００８４】
図３を参照すると、本発明の一実施形態によるＢＭＳ認識システムは、マスターＢＭＳ１００及びスレーブＢＭＳ２００を備えることができる。
【００８５】
望ましくは、本発明の一実施形態によるスレーブＢＭＳ２００は、隣接したスレーブＢＭＳ２００のスレーブ受光部２２０に対応するように構成されたスレーブ発光部２１０を備えることができる。
【００８６】
例えば、図３に示されたように、本発明の一実施形態によるスレーブＢＭＳ２００は、スレーブ受光部２２０及びスレーブ発光部２１０をそれぞれ備えることができる。また、スレーブ受光部２２０は、隣接したスレーブＢＭＳ２００のスレーブ発光部２１０に対応する位置に配置され得る。また、各スレーブ発光部２１０は、隣接したスレーブＢＭＳ２００のスレーブ受光部２２０に対応する位置に配置され得る。
【００８７】
また、スレーブＢＭＳ２００は、マスター発光部１１０の点灯を認知し、動作モード切換信号に対する応答として自分の動作モードを切り換える場合、スレーブ発光部２１０を点滅させて隣接したスレーブＢＭＳ２００に動作モード切換信号をリレー方式で印加することができる。
【００８８】
例えば、図３に示されたように、本発明の一実施形態によるマスターＢＭＳ１００は、マスター発光部１１０を点滅させて隣接したスレーブＢＭＳ２００に取り付けられたスレーブ受光部２２０に動作モード切換信号を伝達することができる。次いで、スレーブＢＭＳ２００は、動作モード切換信号に対する応答として自分の動作モードを切り換えることができる。また、スレーブＢＭＳ２００は、スレーブ発光部２１０を点滅させて隣接したスレーブＢＭＳ２００に動作モード切換信号をリレー方式で印加することができる。
【００８９】
本発明によるＢＭＳ認識システムは、複数のバッテリーセルを含むバッテリーパックの一構成要素になり得る。ここで、バッテリーパックは、一つ以上の二次電池、ＢＭＳ認識システム、電装品（リレー、ヒューズなど）及びケースなどを含むことができる。複数のバッテリーセルはＮ個のグループに分けられ、それぞれのセルグループはＮ個のＢＭＳと１：１の関係でそれぞれ結合され得る。各セルグループ内でバッテリーセルは直列及び／または並列で連結され得ることは自明である。
【００９０】
また、本発明によるＢＭＳ認識システムは、バッテリー、及びこれから電力の供給を受ける負荷を含むバッテリー駆動システムの一構成要素になり得る。バッテリー駆動システムの一例としては、車両（Ｖｅｈｉｃｌｅ）、電気車両（ＥＶ）、ハイブリッド自動車（ＨＥＶ）、電気自転車（Ｅ−Ｂｉｋｅ）、電動工具（ｐｏｗｅｒ  ｔｏｏｌ）、電力貯蔵装置（ｅｎｅｒｇｙ  ｓｔｏｒａｇｅ  ｓｙｓｔｅｍ）、無停電電源装置（ＵＰＳ）、携帯用コンピュータ、携帯電話、携帯用オーディオ装置、携帯用ビデオ装置などが挙げられ、負荷の一例としては、バッテリーが供給する電力によって回転力を提供するモータまたはバッテリーが供給する電力を各種の回路部品が要する電力に変換する電力変換回路が挙げられる。
【００９１】
図４は、本発明の一実施形態によるＢＭＳ認識方法を概略的に示したフロー図である。図４において、各段階の実行主体は、上述した本発明によるＢＭＳ認識システムの各構成要素である。
【００９２】
図４に示されたように、本発明によるＢＭＳ認識方法は、動作モード切換信号伝達段階（Ｓ１００）及び動作モード切換段階（Ｓ１１０）を含む。
【００９３】
動作モード切換信号伝達段階（Ｓ１００）は、スレーブＢＭＳ２００の動作モードを切り換えようとする場合、マスター発光部１１０を点滅させてスレーブＢＭＳ２００に動作モード切換信号を伝達する段階であって、マスターＢＭＳ１００によって行われ得る。
【００９４】
マスターＢＭＳ１００は、連結されたマスター発光部１１０を点滅させて動作モードを切り換えようとするスレーブＢＭＳ２００に動作モード切換信号を伝達することができる。
【００９５】
動作モード切換段階（Ｓ１１０）は、マスター発光部１１０の点滅に対応するように構成されたスレーブ受光部２２０を通じてマスター発光部１１０の点灯を認知し、動作モード切換信号に応えて動作モードを切り換える段階であって、スレーブＢＭＳ２００によって行われ得る。
【００９６】
望ましくは、本発明の一実施形態による動作モード切換信号伝達段階（Ｓ１００）では、マスターＢＭＳ１００が複数のスレーブＢＭＳ２００のそれぞれのスレーブ受光部２２０に対応するように構成された複数のマスター発光部１１０を備え、複数のマスター発光部１１０のうち少なくとも一つのマスター発光部１１０を点滅させて少なくとも一つのスレーブＢＭＳ２００に動作モード切換信号を伝達することができる。
【００９７】
望ましくは、本発明の一実施形態による動作モード切換段階（Ｓ１１０）では、スレーブＢＭＳ２００が隣接したスレーブＢＭＳ２００のスレーブ受光部２２０に対応するように構成されたスレーブ発光部２１０を備えることができる。そして、スレーブＢＭＳ２００は、マスター発光部１１０の点灯を認知し、動作モード切換信号に応えて自分の動作モードを切り換える場合、スレーブ発光部２１０を点滅させて隣接したスレーブＢＭＳ２００に動作モード切換信号をリレー方式で印加することができる。
【００９８】
例えば、図３の実施形態において、マスター発光部１１０が点灯して隣接したスレーブＢＭＳ２００の動作モードを切り換えた場合、動作モードが切り換えられたスレーブＢＭＳ２００に連結されたスレーブ発光部２１０が点滅できる。すなわち、隣接したスレーブＢＭＳ２００のスレーブ発光部２１０及びスレーブ受光部２２０が対応する位置に配置されているため、複数のスレーブＢＭＳ２００の動作モードを連鎖的に切り換えることができる。
【００９９】
また、制御ロジックがソフトウェアとして具現されるとき、各ＢＭＳに備えられたプロセッサはプログラムモジュールの集合として具現され得る。このとき、プログラムモジュールはメモリ装置に保存されてプロセッサによって実行され得る。
【０１００】
また、プロセッサの多様な制御ロジックは少なくとも一つが組み合わせられ、組み合わせられた制御ロジックは、コンピュータ可読のコード体系で作成されてコンピュータによってアクセス可能なものであれば、その種類に特に制限がない。一例として、記録媒体は、ＲＯＭ、ＲＡＭ、レジスタ、ＣＤ−ＲＯＭ、磁気テープ、ハードディスク、フロッピーディスク及び光データ記録装置を含む群から選択された少なくとも一つを含む。また、コード体系は、ネットワークで接続されたコンピュータに分散して保存されて実行され得る。また、組み合わせられた制御ロジックを具現するための機能的なプログラム、コード及びセグメントは、本発明が属する技術分野のプログラマによって容易に推論可能である。
【０１０１】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【０１０２】
１：バッテリーモジュール
１０：バッテリーセル
１００：マスターＢＭＳ
１１０：マスター発光部
１２０：マスター受光部
２００：スレーブＢＭＳ
２１０：スレーブ発光部
２２０：スレーブ受光部
【図１】
2021526782.tif 000003
【図２】
2021526782.tif 000004
【図３】
2021526782.tif 000005
【図４】
2021526782.tif 000006
【国際調査報告】
2021526782.tif 000007
2021526782.tif 000008
2021526782.tif 000009
2021526782.tif 000010